(57)【要約】【課題】本発明は、直線および任意の直径の曲線をせん断できるハサミを提供することである。【解決手段】本発明は、刃５の側方に車輪群４を有し、刃５を開閉させたときに刃５と連結された車軸支持体に支持された車輪同士が接近することでせん断物を挟み込み、刃５を前進させるとハサミ１１が車輪群の向きに誘導されることで、円形または直線をせん断することができる。【選択図】 図１
2018157901.tif 000002
【特許請求の範囲】
【請求項１】
刃の側方に、刃が曲線に沿って動くよう誘導するための車輪を有する、ハサミ。
【請求項２】
前記車輪が刃の動きに伴って回転するよう車軸によって支えられている、請求項１に記載のハサミ。
【請求項３】
前記車軸は、刃と連結された車軸支持体によって支えられている、請求項２に記載のハサミ。
【請求項４】
前記車輪と前記車軸支持体がリンクによって接続されている、請求項３に記載のハサミ。
【請求項５】
刃の側方に、前記車輪の向きを変えることができる角度変更機構を有し、
前記角度変更機構を動かすことにより任意の直径の円の円弧部分をせん断できる、請求項４に記載のハサミ。
【請求項６】
前記車軸支持体にばねが備えられている、請求項５に記載のハサミ。
【請求項７】
刃の側方に、前記車輪による前記誘導を禁止するストッパー機構を有している、請求項５または請求項６に記載のハサミ。
【発明の詳細な説明】
【技術分野】
【０００１】
本発明は、ハサミに係わり、特に切断するための補助具を備えたハサミに関する。
【背景技術】
【０００２】
従来、直線に切断するための補助具を備えたハサミがあった。
【先行技術文献】
【特許文献】
【０００３】
【特許文献１】特開２００１−３１００８６号公報
【発明の概要】
【発明が解決しようとする課題】
【０００４】
しかしながら、上記文献に開示されているハサミでは、曲線を切断することを目的としていない。
【０００５】
本発明の目的は、直線のみならず曲線をも容易にきれいに切断できるハサミを提供することである。
【課題を解決するための手段】
【０００６】
上記目的は、刃５の側面に車輪群４を備える、ことを特徴とするハサミ１１によって達成される。
【０００７】
上記目的は、車軸１０によって支持され刃５の動きに伴って回転する車輪群４を有す
る、ことを特徴とする上記のハサミ１１によっても達成される。
【０００８】
上記目的は、車輪群４を支える車軸１０が刃５に連結された車軸支持体７によって支持されている、ことを特徴とする上記のハサミ１１によっても達成される。
【０００９】
上記目的は、車輪群４がＢリンク９によって車軸支持体７に接続されている、ことを特徴とする上記のハサミ１１によっても達成される。
【００１０】
上記目的は、刃５の側方につまみ１３、車軸支持体７、Ａリンク８、Ｂリンク９、リンク軸１２によって構成される角度変更機構を有する、ことを特徴とする上記のハサミ１１によっても達成される。
【００１１】
上記目的は、刃５の側方に備えられる車軸支持体７にばね２を有する、ことを特徴とする上記のハサミ１１によっても達成される。
【００１２】
上記目的は、刃５の側方にストッパーを備えており、ストッパーを特定の向きにひねることで車輪群４のせん断物の挟み込みを制限する、ことを特徴とする上記のハサミ１１によっても達成される。
【発明の効果】
【００１３】
本発明によれば、直線のみならず曲線をも容易にきれいに切断できるハサミが実現できる。
【図面の簡単な説明】
【００１４】
【図１】本発明の実施形態によるハサミ１１の全体構造を説明する図である。
【図２】本発明の実施形態によるハサミ１１の車輪群４と車輪群４を支持する車軸支          持体および角度変更機構を説明する図である。
【図３】本発明の支持形態によるハサミ１１の角度変更機構のうちつまみ１３を説明          する図である。
【図４】本発明の実施形態によるハサミ１１の車軸支持体および車輪群４を説明する          図である。
【発明を実施するための形態】
【００１５】
以下、図１〜図４を用いて、本発明の実施形態によるハサミ１１を説明する。
【００１６】
図１はハサミ１１の全体図である。握り手１に指をかけ、握り手１を開くと刃５が開き、握り手１を閉じると刃５が閉じて紙をせん断することができる。従来のはさみと違うのは、コンパスで円を描かなくても簡単に紙を円形に切ったり、定規で直線を引かなくてもまっすぐ切ったりすることができるという点である。
【００１７】
図１に示すように、ハサミ１１の持ち手１と刃５から構成されるハサミ本体は一般的なハサミと同様の形状である。ハサミ１１は、持ち手１、刃５、車輪群４、ばね群２が設けられている車軸支持体７、ストッパー３、および、角度変更機構６（図２で説明する）を有している。ハサミ１１は、刃５の側方に８個の車輪を有する車輪群４が備えられている。車輪群４は、車軸支持体７によって支持され、車軸支持体７は、角度変更機構６を介して刃５と連結されている。図４に示すように、車軸支持体７は、２つの車軸支持体で構成され、刃５の上刃と下刃のそれぞれに設けられている。車軸支持体７の２つの車軸支持体は、刃５の上下の刃の開閉に伴って上下に動き、車輪群４もそれと同時に上下に動く。刃５の上刃と下刃がある程度閉じた状態になると、刃５の上下に備えられた車輪同士は接触する。これにより、せん断物は車輪に挟まれた状態になる。刃５をある程度閉じた状態から完全に閉じるまでは、車軸支持体７に備えられたばね群２の各ばねの弾性力により車輪同士が閉じた状態を保持することができる。車輪群４の各車輪は、刃５の側面に備えられた角度変更機構６により向きを変更することができる。また、ストッパー３を操作することで、車輪群４の各車輪の向きを固定することができる。せん断物を車輪群４の上下の車輪群で挟み込んだまま、刃５を前進させるとハサミ１１は車輪の向きに誘導されて進んでいく。このことによりハサミ１１は、円形あるいは直線を容易にせん断することができる。
【００１８】
車輪群４は、車輪の内側をプラスチック等の硬質な材料、外側をゴム等の軟質な材料で構成されてもよい。
【００１９】
図２はハサミ１１の角度変更機構６を示したものである。
【００２０】
図２に示すように、角度変更機構６は、つまみ１３、Ａリンク８、Ｂリンク９、車軸１０、リンク軸１２を有している。車輪群４の各車輪は、車軸１０によってＢリンク９に支持されている。Ｂリンク９は、リンク軸１２を介して車軸支持体７に接続されている。また、Ｂリンク９は、Ａリンク８とも接続されている。つまみ１３は、Ａリンク８を貫通している。つまみ１３を回すと、回した角度に応じてＡリンク８がつまみ１３の軸方向に直線運動し、それに伴って、Ｂリンク９がリンク軸１２との接続点を中心に回転運動を行う。Ｂリンク９の回転運動によってＢリンク９は刃５に対して傾くことになる。Ｂリンク９の回転角度に合せて、Ｂリンク９に車軸１０を介して接続されている車輪の向きの角度が変更される。
【００２１】
図２に示すように、つまみ１３は車輪群４の各車輪の角度を変更するためのものである。つまみ１３は一部がおねじになっている。Ａリンク８のつまみ１３が貫通する部分はめねじになっており、つまみ１３を回転させたときにＡリンク８が直線運動するようになっている。Ａリンク８の直線運動を受けて、Ｂリンク９はリンク軸１２を中心に車軸１０の角度を変更する。車軸１０は車輪群４の車輪を自由に回転させるための軸である。
【００２２】
図３はＡリンク８および、つまみ１３を示したものである。
【００２３】
図３に示すように、つまみ１３には目盛りと数字と「直線」の文字列が刻まれている。数字は、せん断する円の直径を示したものである。つまみ１３を回しＡリンク８の端部を目盛りに合わせると、目盛りに該当する直径の円をせん断することができる。また、つまみ１３を回しＡリンク８の端部を「直線」に合せると、直線をせん断することができる。
【００２４】
図４はハサミ１１を刃５の先端から正面視した図である。
【００２５】
図４に示すように、刃５の上刃と下刃をある程度閉じると、刃５の上刃と下刃のそれぞれに連結された車軸支持体７も同時に動き、車輪群４の上下の車輪同士が接触する。車輪群４と車軸支持体７が完全に固定されていると、刃５はそれ以上閉じることができないが、ばね群２の各ばねが縮むことによって刃５の上刃と下刃を完全に閉じることが可能である。
【００２６】
刃５の中心付近には、細長い形状のストッパー３を有している。円弧あるいは直線をせん断するときは、ストッパー３が刃５の向きと平行な向きを向いている。ストッパー３をひねり、刃５と垂直な向きに向けると刃５を閉じた際に、車軸支持体７同士の間にストッパー３がつかえる。従って、車輪群４同士がせん断対象物を挟み込むことができなくなる。よって、ハサミ１１の動きが拘束されなくなるので、自由な形にせん断対象物を切ることができる。直線や曲線を切断するときには、ストッパー３を刃５の方向に対して平行な向きに戻しておく。こうすることでストッパー３が邪魔になることなく、車輪群４で紙を挟むことができる。
【産業上の利用可能性】
【００２７】
本発明は、あらゆるタイプのハサミにおいて広く利用可能である。
【符号の説明】
【００２８】
１  握り手
２  ばね群
３  ストッパー
４  車輪群
５  刃
６  角度変更機構
７  車軸支持体
８  Ａリンク
９  Ｂリンク
１０  車軸
１１  ハサミ
１２  リンク軸
１３  つまみ
【図１】
2018157901.tif 000003
【図２】
2018157901.tif 000004
【図３】
2018157901.tif 000005
【図４】
2018157901.tif 000006
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
刃の上刃と下刃のそれぞれの側方に複数の車輪からなる車輪群が設けられており、前記刃の側方に、前記車輪の向きをかえることができる角度変更機構を有し、前記刃の上刃と下刃とがある程度閉じた状態になると、前記刃の上下に備えられた車輪同士が接触することでせん断物が車輪に挟まれた状態になるハサミであって、せん断物を車輪群の上下の車輪群で挟み込んだまま刃を前進させることで、ハサミは車輪の向きに誘導されて進み、円形又は曲線又は直線を切断することができる、ハサミ。
【請求項２】
前記車輪が刃の動きに伴って回転するよう車軸によって支えられている、請求項１に記載のハサミ。
【請求項３】
前記車軸は、刃と連結された車軸支持体によって支えられている、請求項２に記載のハサミ。
【請求項４】
前記車輪と前記車軸支持体がリンクによって接続されている、請求項３に記載のハサミ。
【請求項５】
前記角度変更機構を動かすことにより任意の直径の円の円弧部分をせん断できる、請求項４に記載のハサミ。
【請求項６】
前記車軸支持体にばねが備えられている、請求項５に記載のハサミ。
【請求項７】
刃の側方に、前記車輪による前記誘導を禁止するストッパー機構を有している、請求項５または請求項６に記載のハサミ。